(57)【特許請求の範囲】
【請求項１】
ＩＣカードと、ＩＣカードリーダライタに接続された通信端末とにより、前記通信端末において広告表示を行なう広告機能を有するＩＣカードシステムであって、
前記ＩＣカードには、
電子広告データ及び認証用ＩＤデータが記憶されたデータ記憶手段と、前記電子広告データを使用した広告を前記通信端末において表示させる機能を有する通信端末用プログラムが格納された通信端末用プログラム格納手段と、前記通信端末から受信した広告表示証明用情報を記憶する証明用情報記憶手段と、前記ＩＣカードリーダライタを介して前記ＩＣカードから前記通信端末に対して、広告表示に関わる処理以外のデータを送信する際に、前記証明用情報記憶手段に前記証明情報が記憶されている場合と、更に前記通信端末から入力されたＩＤデータと、前記認証用ＩＤデータとを照合し、照合一致された場合とを条件に広告表示に関わる処理以外のデータの送受信を許可する制御手段とを有し、
前記通信端末には、
前記ＩＣカードリーダライタを介して受信した前記通信端末用プログラムに基づいた処理を実行させる制御手段と、前記ＩＣカードリーダライタを介して受信した電子広告データを使用した広告表示を行なう表示手段と、前記表示手段に前記広告表示が行なわれたことを証明する広告表示証明用情報を発生させる証明用情報発生手段と、利用者がＩＤデータを入力する入力手段と、前記入力手段から入力されたＩＤデータと、前記証明用情報発生手段で発生された広告表示証明用情報とを、前記ＩＣカードリーダライタを介して前記ＩＣカードに送信する送受信手段と、
を有することを特徴とする広告機能を有するＩＣカードシステム。
【発明の詳細な説明】
【０００１】
【発明の属する技術分野】
本発明は、ＩＣカードを用いてＩＣカードリーダライタに接続された通信端末で各種の処理を行なう際に、必ず予め定めた広告表示を通信端末の表示手段に表示させるようにした広告機能を有するＩＣカードシステムに関する。
【０００２】
【従来の技術】
従来、ＩＣカードを利用して種々の情報処理を行なう際には、パソコン等の通信端末に備えられたＩＣカードリーダライタを介して、ＩＣカードのメモリに格納されている各種のデータを読み取り、予め通信端末に常時搭載されているプログラムを使用して、通信端末でデータ処理を行なったり、また更にインターネット等のネットワークを通じて通信端末とサーバとの間でアクセスして、種々のデータの送受信を行なったりしている。
【０００３】
通常、これらのＩＣカードは、インターネット等のネットワークを通じて各種情報サービスの提供を行なうサービス提供会社やクレジット会社などがＩＣカードの発行会社となることが多く、ＩＣカードを用いてネットワークを通じた代金精算を行なう場合などに活用される場合が多い。
しかしながら、通常ＩＣカードは、磁気カード等と比較した場合に高価であり、ＩＣカードの発行会社にとってコスト高となるため、ＩＣカードの発行を受けたＩＣカード利用者の多くがＩＣカードを使用し、各種サービスを利用しないとＩＣカードの発行会社の経営に悪影響を及ぼすこととなるので、ＩＣカードの活用によりネットワークを通じた代金精算が便利になるという利点がある反面、コスト高が生じるために、このリスクに対する対策を図る必要性がある。
【０００４】
このようなＩＣカードの発行によるコスト高への対応として、ＩＣカードの発行に伴う費用負担をＩＣカード利用者に持ってもらうために、ＩＣカード利用者の会費等の名目でＩＣカード利用者から徴収する方法も考えられるが、初心者のように、まだＩＣカードを用いたサービスをどの程度利用するか否かわからない場合には、高い会費を出してまで会員になりたくない人もいるので、単純にＩＣカードの費用負担をＩＣカード利用者に求めるのには問題がある。
したがって、ＩＣカードの発行に伴う費用負担に対する合理的な解決策が望まれる。
【０００５】
【発明が解決しようとする課題】
本発明は、ＩＣカード発行会社のＩＣカード発行に伴うコスト高による悪影響を回避することができるようにし、更にＩＣカード利用者にとっても、ＩＣカードを利用することによる特別の費用負担を受けることがないようにして、できるだけ安い費用でＩＣカード利用者としての会員等になれるようにするため、ＩＣカードの発行に伴う費用負担を、ＩＣカード発行会社やＩＣカード利用者以外の第三者に負担させるようにすることを可能にした広告機能を有するＩＣカードシステムを提供する。
【０００６】
【課題を解決するための手段】
本発明の広告機能を有するＩＣカードシステムは、ＩＣカードと、ＩＣカードリーダライタに接続された通信端末とにより、前記通信端末において広告表示を行なう広告機能を有するＩＣカードシステムであって、前記ＩＣカードには、電子広告データ及び認証用ＩＤデータが記憶されたデータ記憶手段と、前記電子広告データを使用した広告を前記通信端末において表示させる機能を有する通信端末用プログラムが格納された通信端末用プログラム格納手段と、前記通信端末から受信した広告表示証明用情報を記憶する証明用情報記憶手段と、前記ＩＣカードリーダライタを介して前記ＩＣカードから前記通信端末に対して、広告表示に関わる処理以外のデータを送信する際に、前記証明用情報記憶手段に前記証明情報が記憶されている場合と、更に前記通信端末から入力されたＩＤデータと、前記認証用ＩＤデータとを照合し、照合一致された場合とを条件に広告表示に関わる処理以外のデータの送受信を許可する制御手段とを有し、前記通信端末には、前記ＩＣカードリーダライタを介して受信した前記通信端末用プログラムに基づいた処理を実行させる制御手段と、前記ＩＣカードリーダライタを介して受信した電子広告データを使用した広告表示を行なう表示手段と、前記表示手段に前記広告表示が行なわれたことを証明する広告表示証明用情報を発生させる証明用情報発生手段と、利用者がＩＤデータを入力する入力手段と、前記入力手段から入力されたＩＤデータと、前記証明用情報発生手段で発生された広告表示証明用情報とを、前記ＩＣカードリーダライタを介して前記ＩＣカードに送信する送受信手段と、を有することを特徴とする。
【０００７】
【発明の実施の形態】
以下、本発明の実施の形態を図面に基づいて詳細に説明する。
図１は、本発明の広告機能を有するＩＣカードシステムの一実施形態に係る概略を説明する構成図、図２は、本発明の広告機能を有するＩＣカードシステムの一実施形態に係るシステムブロック図、図３は、本発明の一実施形態に係るＩＣカードのメモリに格納されている内容を示す図、図４は、本発明の一実施形態に係るＩＣカードの制御手段の内容を示す図、図５は、本発明の一実施形態に係る通信端末の制御手段の内容を示す図、図６及び図７は、本発明の一実施形態に係る広告機能を有するＩＣカードシステムにおける処理手順を示すフローチャートである。
【０００８】
本発明の一実施形態に係る広告機能を有するＩＣカードシステムは、例えば、図１に示すように、ＩＣカード利用者側１に設置されているＩＣカードリーダライタ２が接続された通信端末３が、インターネット等のネットワーク５を介してサービス提供者側６のサーバ７と通信可能に接続され、サービス提供者側６からのサービスを受ける際に、ＩＣカード利用者がＩＣカード４を用いてＩＣカードリーダライタ２で、ＩＣカード４に記憶されている各種のデータを読み取るなどして、本人認証処理や代金精算処理などの処理を行なうシステムなどに適応されるものであるが、本発明のシステム自体は、少なくともＩＣカードリーダライタ２が接続された通信端末３と、ＩＣカードリーダライタ２に用いるＩＣカード４とにより達成されるものである。
【０００９】
そして、ＩＣカード利用者側１に設置されているＩＣカードリーダライタ２が接続された通信端末３において、図２に示すように、通信端末３には、制御手段であるＣＰＵ８と、メモリ９と、送受信手段であるＩ／Ｆ（インターフェース）１０と、更に表示手段であるディスプレイ１１と、入力手段であるキーボード１２とが備えられて構成されている。
【００１０】
また、ＩＣカードリーダライタ２には、制御手段であるＣＰＵ１３と、メモリ１４と、通信端末３のＩ／Ｆ１０と接続するためのＩ／Ｆ１５と、ＩＣカード４と接続するためのＩ／Ｆ１６とが備えられて構成されている。
【００１１】
また、ＩＣカード４には、ＩＣカードリーダライタ２のＩ／Ｆ１６と接続するためのＩ／Ｆ１７と、制御手段であるＣＰＵ１８と、メモリ１９とが備えられて構成されている。
そして、ＩＣカード４のメモリ１９には、図３に示すように、電子広告データ及び認証用ＩＤデータが記憶されたデータ記憶手段２０と、前記データ記憶手段２０に記憶されている電子広告データを使用した広告を、通信端末３の表示手段であるディスプレイ１１において表示させる機能を有する通信端末用プログラムが格納された通信端末用プログラム格納手段２１と、通信端末３から受信した広告表示証明用情報を記憶する証明用情報記憶手段２２とが設けられている。
【００１２】
ＩＣカード４のデータ記憶手段２０に記憶されている電子広告データは、ＩＣカード発行者からＩＣカード４が利用者に発行される前の段階において、予め広告依頼主から依頼された有料の広告であって、ＩＣカード利用者がＩＣカード４を使用して通信端末３で種々の処理を行なう際に、通信端末３のディスプレイ１１によりその広告内容を表示するためのデータである。
したがって、ＩＣカード発行者は、予め広告依頼主との間で契約した条件に基づいたＩＣカードの発行枚数について、所望の広告内容からなる電子広告データをＩＣカード４のデータ記憶手段２０に記憶させた後、ＩＣカード利用者に対して発行する。
【００１３】
また、ＩＣカード４のデータ記憶手段２０に記憶されている認証用ＩＤデータは、ＩＣカード利用者が正当な権利を有する者であるか否かを検証する際の照合データとして使用するものであり、ＩＣカード発行者がＩＣカード４の発行を行なう前に定め、予め登録させておく。
【００１４】
また、通信端末用プログラム格納手段２１に格納されている通信端末用プログラムは、ＩＣカード利用者がＩＣカードリーダライタ２のＩＣカード挿入口２４から挿入した後において、ＩＣカード４のＩ／Ｆ１７とＩＣカードリーダライタ２のＩ／Ｆ１６とにおける信号の交信が行われた際の最初の段階で、実行処理されるためのプログラムである。
【００１５】
更に、証明用情報記憶手段２２に記憶される広告表示証明用情報は、通信端末用プログラムに基づいて電子広告データを使用して、通信端末３のディスプレイ１１によりその広告内容が表示されたことを証明するための情報であり、通信端末３側において広告表示後にこの証明用情報が発生され、通信端末３からＩＣカードリーダライタ２を介してＩＣカード４に送られ、証明用情報記憶手段２２に記憶されるものである。
【００１６】
ＩＣカード４の制御手段であるＣＰＵ１８には、利用者が通信端末３から入力されたＩＤデータと、予めデータ記憶手段２０に記憶されている認証用ＩＤデータとを照合する照合手段２３が設けられ、照合手段２３による照合処理で、一致された場合を条件に、その後のＩＣカード４とＩＣカードリーダライタ２の間におけるデータの送受信が可能となるように制御される。
【００１７】
また、通信端末３のＣＰＵ８には、通信端末用プログラムに基づいて電子広告データを使用して、通信端末３のディスプレイ１１によりその広告内容が表示された後、確かに広告内容が表示されたことを証明するための広告表示証明用情報を発生させる証明用情報発生手段２４が設けられている。
【００１８】
また、通信端末３のメモリ９には、ＩＣカード４を用いて各種の処理を行なうための所望のプログラムが予め格納されていて、ＩＣカード４を利用した各種のサービス処理を実行することができる。
通常、このプログラムによりネットワークを介してサーバとアクセスすることで、様々なサービスの提供が行われる。
【００１９】
次に、本発明の一実施形態に係る広告機能を有するＩＣカードシステムにおける処理手順を、図６及び図７のフローチャートに基づいて説明する。
まず、通信端末３に予め登録されているプログラムが起動された後、ＩＣカードリーダライタ２のＩＣカード挿入口にＩＣカード４を挿入する（Ｓ１）。
次に、ＩＣカード４の通信端末用プログラム格納手段２１に格納された通信端末用プログラムが、ＩＣカードリーダライタ２を介して通信端末３にロードされる（Ｓ２）。
【００２０】
そして、通信端末３では、その後においてＩＣカード４から通信端末３で受信された通信端末用プログラムに基づく処理が実行される（Ｓ３）。
次に、ＩＣカード利用者は、通信端末３の入力手段であるキーボード１２から予め定められているＩＤデータを入力する（Ｓ４）。
そして、入力されたＩＤデータは、ＩＣカードリーダライタ２を介して通信端末３に送られ、照合手段２３によりデータ記憶手段２０に登録されている認証用ＩＤデータと照合処理される（Ｓ５）。
【００２１】
この照合手段２３による照合処理の結果（Ｓ６）、一致した場合には、通信端末３からＩＣカードリーダライタ２を介してＩＣカード４に対し、ＩＣカード４のデータ記憶手段２０に記憶されている電子広告データを送信する旨の信号が発信する（Ｓ７）。
次に、ＩＣカード４のデータ記憶手段２０に記憶されている電子広告データが、 ＩＣカードリーダライタ２を介して通信端末３に送信される（Ｓ８）。
【００２２】
そして、通信端末３の表示手段であるディスプレイ１１により、その電子広告データに基づく広告内容が表示される（Ｓ９）。
したがって、ここでＩＣカード利用者は、ディスプレイ１１に表示された広告を見ることになる。
そして、ディスプレイ１１に電子広告データに基づく広告内容が表示されると、通信端末３の証明用情報発生手段２４から、確かに広告内容がディスプレイ１１に表示されたことを証明するための広告表示証明用情報がＩＣカード４に対して発信される（Ｓ１０）。
【００２３】
そして、この広告表示証明用情報がＩＣカードリーダライタ２を介してＩＣカード４に対し発信され、ＩＣカード４の証明用情報記憶手段２２に記憶される（Ｓ１１）。
そして、許可信号の制御手段であるＣＰＵ１８が、証明用情報記憶手段２２に広告表示証明用情報が記憶されたことを確認したことを条件に、その後におけるＩＣカード４と通信端末３とのデータの交信を許可する許可信号を発生させる（Ｓ１２）。
【００２４】
この許可信号は、ＩＣカード４からＩＣカードリーダライタ２を介した通信端末３へ送信されることで、現時点において通信端末３で起動されている通信端末用プログラムから、通信端末３に予め登録されているＩＣカード４を用いたＩＣカード処理用のプログラムによる処理への切り換えが行われ、その後、そのプログラムによる処理が実行される（Ｓ１３）。
【００２５】
以上のように、本発明の広告機能を有するＩＣカードシステムは、ＩＣカード利用者がＩＣカード４を使用して通信端末３で処理を行なう際には、必ず予めＩＣカード４のデータ記憶手段２０に登録されている電子広告データに基づき、通信端末３のディスプレイ１１に表示された広告を見るようにシステム化されている。
【００２６】
【発明の効果】
以上説明したように、本発明の広告機能を有するＩＣカードシステムは、ＩＣカード利用者がＩＣカード４を使用する際に、広告料の支払いを行なう広告依頼主が望む広告内容を、通信端末３のディスプレイ１１に表示することができるので、ＩＣカード発行会社が発行するＩＣカードの発行に伴うコストを、広告依頼主からの収入で補うことができるので、ＩＣカード発行会社及びＩＣカード利用者にＩＣカードの発行に伴う費用負担をかけないで、ＩＣカードの発行を行なうことができるという効果がある。
【図面の簡単な説明】
【図１】本発明の広告機能を有するＩＣカードシステムの一実施形態に係る概略を説明する構成図である。
【図２】本発明の広告機能を有するＩＣカードシステムの一実施形態に係るシステムブロック図である。
【図３】本発明の一実施形態に係るＩＣカードのメモリに格納されている内容を示す図である。
【図４】本発明の一実施形態に係るＩＣカードの制御手段の内容を示す図である。
【図５】本発明の一実施形態に係る通信端末の制御手段の内容を示す図である。
【図６】本発明の一実施形態に係る広告機能を有するＩＣカードシステムにおける処理手順を示すフローチャートである。
【図７】本発明の一実施形態に係る広告機能を有するＩＣカードシステムにおける処理手順を示すフローチャートである。
【符号の説明】
１  ＩＣカード利用者側
２  ＩＣカードリーダライタ
３  通信端末
４  ＩＣカード
５  ネットワーク
６  サービス提供者側
７  サーバ
８，１３，１８  ＣＰＵ
９，１４，１９  メモリ
１０，１５，１６，１７  Ｉ／Ｆ
１１  ディスプレイ
１２  キーボード
２０  データ記憶手段
２１  通信端末用プログラム格納手段
２２  証明用情報記憶手段
２３  照合手段
【図１】
0003883844.tif 000002
【図２】
0003883844.tif 000003
【図３】
0003883844.tif 000004
【図４】
0003883844.tif 000005
【図５】
0003883844.tif 000006
【図６】
0003883844.tif 000007
【図７】
0003883844.tif 000008